(57)【特許請求の範囲】
【請求項１】
ダムに貯められた水の放流設備に設けられる配管のうち前記ダムの水側に開口された上流側開口部を止水蓋で閉塞する止水蓋施工方法であって、
水中を移動可能な移動装置に前記止水蓋を保持させ、前記移動装置を用いて、水が満たされた前記配管の前記上流側開口部を覆う位置に前記止水蓋を配置する配置工程と、
前記上流側開口部を覆う位置に前記止水蓋を配置した状態で前記配管内の水を前記配管の下流側から抜き、前記ダムの水中と前記配管内との間に生じる圧力差によって前記止水蓋を前記配管側に押圧させることで前記上流側開口部を閉塞する閉塞工程と
を含む止水蓋施工方法。
【請求項２】
前記配置工程は、前記ダムの水面から前記上流側開口部までの深さが所定深さ以上である状態で行う
請求項１に記載の止水蓋施工方法。
【請求項３】
前記閉塞工程は、前記移動装置が前記止水蓋を保持した状態で行う
請求項１又は請求項２に記載の止水蓋施工方法。
【請求項４】
前記閉塞工程の後、前記上流側開口部を閉塞した状態の前記止水蓋から前記移動装置を離脱させる離脱工程を更に含む
請求項１から請求項３のうちいずれか一項に記載の止水蓋施工方法。
【請求項５】
前記閉塞工程の後、前記止水蓋によって閉塞された前記配管内に水を供給し、前記ダムの水中と前記配管内との間の圧力差を低減させる充水工程と、
前記圧力差が低減された状態で前記移動装置を用いて前記止水蓋を前記上流側開口部から取り外し、前記上流側開口部を開放する開放工程と
を更に含む請求項１から請求項４のうちいずれか一項に記載の止水蓋施工方法。
【請求項６】
前記配管は、前記水を放流する放流管と、前記放流管に水を供給する充水管とを有し、
前記止水蓋は、前記放流管の閉塞に用いられ、
前記充水工程は、前記充水管を用いて行う
請求項５に記載の止水蓋施工方法。
【請求項７】
前記配管は、前記水を放流する放流管と、前記放流管に水を供給する充水管とを有し、
前記止水蓋は、前記充水管の閉塞に用いられ、前記充水管を閉塞した状態で開閉可能な開閉部を有し、
前記充水工程は、前記止水蓋の開閉部を開状態にすることにより行う
請求項５に記載の止水蓋施工方法。
【請求項８】
前記放流管の上流側には、前記放流管を開閉可能な予備ゲートが設けられ、
前記予備ゲートを用いて前記放流管の上流側を閉塞した状態で、前記配置工程及び前記閉塞工程を行う
請求項７に記載の止水蓋施工方法。
【発明の詳細な説明】
【技術分野】
【０００１】
本発明は、止水蓋施工方法に関する。
【背景技術】
【０００２】
ダムには、貯留された水を下流側に放流するための放流設備が設けられる。放流設備には、例えばダムの水を下流側に流すための放流管や、ダムの水を放流管に供給する充水管などの配管が設けられている（例えば、特許文献１参照）。放流管の下流側開口部には、開閉可能なゲートが設けられている。ゲートが開いた状態では、ダムの水が放流管を流れ、下流側開口部から放流される。ゲートが閉じた状態では、放流が行われず、放流管にダムの水が満たされた状態となる。また、充水管にはバルブが設けられる。このバルブを開閉することにより、放流管への水の供給及び供給停止を切り替え可能となっている。
【０００３】
このような放流設備において、上記のゲートやバルブ等のメンテナンスを行う際には、配管内をドライな環境として行う必要がある。つまり、配管内の水を抜いた状態でメンテナンスを行う必要がある。例えば比較的最近に建設されたダムには、配管の上流側開口部を閉塞可能な予備ゲートを有するものがある。このようなダムでは、配管内の水を抜く場合、予備ゲートを閉じて上流側開口部を閉塞し、この状態で下流側から配管内の水を放出する。
【０００４】
一方、上記のような予備ゲートが設けられないダムもある。このようなダムでは、配管内の水を抜く場合、潜水士が止水蓋を持ってダムの水中に潜り、上流側開口部に止水蓋を取り付けて閉塞することが行われる（水中施工法）。潜水士による水中施工法では、潜水士が深く潜るほど、水中での作業可能な時間が短くなる。このため、潜水士の潜る深さを浅くするために放流を行ったり、複数の潜水士が交代で潜って作業を行ったりしている。
【先行技術文献】
【特許文献】
【０００５】
【特許文献１】特開２０１４−２３４６６８号公報
【発明の概要】
【発明が解決しようとする課題】
【０００６】
しかしながら、水深を低下させるための放流を行う場合、放流作業に時間を要することになる。また、潜水士が深く潜る場合、作業後に潜水士が浮上するために要する時間が長くなる。このように、潜水士による水中施工法では、作業に要する時間が長くなってしまう。また、潜水士が浮上時に用いる再圧チャンバーなどの設備が必要になるため、大掛かりな作業となってしまう。
【０００７】
本発明は、上記に鑑みてなされたものであり、作業時間を短縮することができ、大掛かりな設備を要することなく止水蓋を配置することが可能な止水蓋施工方法を提供することを目的とする。
【課題を解決するための手段】
【０００８】
本発明に係る止水蓋施工方法は、ダムに貯められた水の放流設備に設けられる配管のうち前記ダムの水側に開口された上流側開口部を止水蓋で閉塞する止水蓋施工方法であって、水中を移動可能な移動装置に前記止水蓋を保持させ、前記移動装置を用いて、水が満たされた前記配管の前記上流側開口部を覆う位置に前記止水蓋を配置する配置工程と、前記上流側開口部を覆う位置に前記止水蓋を配置した状態で前記配管内の水を前記配管の下流側から抜き、前記ダムの水中と前記配管内との間に生じる圧力差によって前記止水蓋を前記配管側に押圧させることで前記上流側開口部を閉塞する閉塞工程とを含む。
【０００９】
本発明によれば、配管の上流側開口部に止水蓋を配置する際に、移動装置を用いることとしたため、例えばダムの水位を下げる等、潜水士に合った作業環境に調整する必要がない。また、潜水士が浮上するための時間を考慮する必要がなく、再圧チャンバーなどの設備も不要となる。これにより、作業時間を短縮することができ、大掛かりな設備を要することなく止水蓋を配置することが可能となる。
【００１０】
上記の止水蓋施工方法において、前記配置工程は、前記ダムの水面から前記上流側開口部までの深さが所定深さ以上である状態で行う。
【００１１】
本発明によれば、移動装置を用いることにより、ダムの水面から上流側開口部までの深さが深い場合であっても、作業時間を短縮することができ、大掛かりな設備を要することなく止水蓋を配置することが可能となる。また、潜水士が潜水困難な深さであっても、止水蓋を配置することが可能となる。
【００１２】
上記の止水蓋施工方法において、前記閉塞工程は、前記移動装置が前記止水蓋を保持した状態で行う。
【００１３】
本発明によれば、移動装置によって止水蓋が保持されるため、止水蓋の位置ずれを抑制できる。
【００１４】
上記の止水蓋施工方法は、前記閉塞工程の後、前記上流側開口部を閉塞した状態の前記止水蓋から前記移動装置を離脱させる離脱工程を更に含む。
【００１５】
本発明によれば、移動装置を止水蓋から離脱させることにより、当該移動装置を一旦回収してメンテナンス等を行ったり、当該移動装置を他の用途に用いたりすることができる。
【００１６】
上記の止水蓋施工方法は、前記閉塞工程の後、前記止水蓋によって閉塞された前記配管内に水を供給し、前記ダムの水中と前記配管内との間の圧力差を低減させる充水工程と、前記圧力差が低減された状態で前記移動装置を用いて前記止水蓋を前記上流側開口部から取り外し、前記上流側開口部を開放する開放工程とを更に含む。
【００１７】
本発明によれば、止水蓋を取り外す際においても移動装置を用いるため、潜水士に合った作業環境に調整する必要がない。これにより、作業時間を短縮することができ、効率的に止水蓋を配置することが可能となる。
【００１８】
上記の止水蓋施工方法において、前記配管は、前記水を放流する放流管と、前記放流管に水を供給する充水管とを有し、前記止水蓋は、前記放流管の閉塞に用いられ、前記充水工程は、前記充水管を用いて行う。
【００１９】
本発明によれば、充水管を用いて放流管の充水を行うため、効率的に充水工程を行うことができる。
【００２０】
上記の止水蓋施工方法において、前記配管は、前記水を放流する放流管と、前記放流管に水を供給する充水管とを有し、前記止水蓋は、前記充水管の閉塞に用いられ、前記充水管を閉塞した状態で開閉可能な開閉部を有し、前記充水工程は、前記止水蓋の開閉部を開状態にすることにより行う。
【００２１】
本発明によれば、止水蓋が充水管を閉塞した状態から当該閉塞状態を開放する場合に、開閉部を開くことにより、充水管に水を効率的に供給することができる。
【００２２】
上記の止水蓋施工方法において、前記放流管の上流側には、前記放流管を開閉可能な予備ゲートが設けられ、前記予備ゲートを用いて前記放流管の上流側を閉塞した状態で、前記配置工程及び前記閉塞工程を行う。
【００２３】
本発明によれば、予備ゲートを用いて放流管の上流側を閉塞した状態で、止水蓋による充水管の閉塞が行われるため、ダムの水が放流管に流れ込むことを確実に防ぐことができる。これにより、充水管の内部を確実にドライな環境にすることができる。
【発明の効果】
【００２４】
本発明に係る止水蓋施工方法によれば、作業時間を短縮することができ、効率的に止水蓋を配置することができる。
【図面の簡単な説明】
【００２５】
【図１】図１は、本実施形態に係るダムの一例を示す図である。
【図２】図２は、本実施形態に係る止水蓋の施工方法を示す工程図である。
【図３】図３は、本実施形態に係る止水蓋の施工方法を示す工程図である。
【図４】図４は、本実施形態に係る止水蓋の施工方法を示す工程図である。
【図５】図５は、本実施形態に係る止水蓋の施工方法を示す工程図である。
【図６】図６は、本実施形態に係る止水蓋の施工方法を示す工程図である。
【図７】図７は、本実施形態に係る止水蓋の施工方法を示す工程図である。
【図８】図８は、本実施形態に係る止水蓋の施工方法を示す工程図である。
【図９】図９は、本実施形態に係る止水蓋の施工方法を示す工程図である。
【図１０】図１０は、本実施形態に係る止水蓋の施工方法を示す工程図である。
【図１１】図１１は、本実施形態に係る止水蓋の施工方法を示す工程図である。
【図１２】図１２は、変形例に係る止水蓋の施工方法を示す工程図である。
【図１３】図１３は、変形例に係る移動装置の一例を示す図である。
【図１４】図１４は、変形例に係るダムの一例を示す図である。
【発明を実施するための形態】
【００２６】
以下、本発明に係る止水蓋施工方法の実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００２７】
図１は、本実施形態に係るダム１００の一例を示す図である。ダム１００は、堤体１０と、放流設備２０とを備えている。堤体１０は、ダム湖３０の水をせき止める。放流設備２０は、ダム湖３０の水を放流する。
【００２８】
放流設備２０は、放流管２１及び充水管２２を有している。放流管２１は、上流側開口部２１ａ及び下流側開口部２１ｂを有している。上流側開口部２１ａは、堤体１０の上流側であって、ダム湖３０内に開口されている。ダム湖３０の水は、上流側開口部２１ａから放流管２１内に流入する。放流管２１の上流側開口部２１ａは、開放された状態となっている。
【００２９】
下流側開口部２１ｂは、堤体１０の下流側に開口されている。下流側開口部２１ｂには、ゲート２３が設けられている。ゲート２３は、下流側開口部２１ｂを開閉可能である。ゲート２３が開いた状態では、ダム湖３０の水が放流管２１を流れ、下流側開口部２１ｂから放流される。ゲート２３が閉じた状態では、放流が行われず、放流管２１にダム湖３０の水が満たされた状態となる。
【００３０】
充水管２２は、放流管２１にダム湖３０の水を供給する。充水管２２は、上流側開口部２２ａと、接続開口部２２ｂとを有している。上流側開口部２２ａは、ダム湖３０内に開口されている。ダム湖３０の水は、上流側開口部２２ａから充水管２２内に流入する。接続開口部２２ｂは、放流管２１内に開口されている。充水管２２は、接続開口部２２ｂから放流管２１内に水を供給する。
【００３１】
充水管２２には、主バルブ２４及び副バルブ２５が設けられている。主バルブ２４及び副バルブ２５は、充水管２２の流路を開閉可能である。主バルブ２４は、副バルブ２５よりも下流側（放流管２１側）に配置される。通常では、主バルブ２４が閉じた状態、かつ副バルブ２５が開いた状態となっている。また、充水動作を行う場合、主バルブ２４を開いた状態とする。副バルブ２５は、主バルブ２４のメンテナンスを行う際、主バルブ２４側をドライな環境とするために閉塞させる。
【００３２】
主バルブ２４及び副バルブ２５の両方が開いた状態では、放流管２１とダム湖３０との間が充水管２２を介して接続される。したがって、ダム湖３０の水は、充水管２２を介して放流管２１に供給される。主バルブ２４及び副バルブ２５のうち少なくとも一方が閉じた状態では、放流管２１とダム湖３０との間が遮蔽され、放流管２１には水が供給されない。なお、ゲート２３の操作部２３ａと、主バルブ２４及び副バルブ２５の操作部とは、操作室１１に設けられる。作業者は、操作室１１においてゲート２３、主バルブ２４及び副バルブ２５の開閉の切り替えが可能である。
【００３３】
上記のように構成されたダム１００において、ゲート２３や放流管２１内のメンテナンスを行う際には、放流管２１内をドライな環境にする。つまり、放流管２１内の水を抜いた状態でメンテナンスを行う。本実施形態のダム１００では、放流管２１の上流側開口部２１ａに予備ゲート等の閉塞手段が設けられない。そこで、放流管２１内の水を抜く場合、上流側開口部２１ａに止水蓋を取り付けて閉塞する。図２から図７は、本実施形態に係る止水蓋５０の施工方法の一例を示す工程図である。
【００３４】
まず、水中を移動可能な移動装置４０に止水蓋５０を保持させた状態とする。そして、この移動装置４０をダム湖３０に投入する。移動装置４０としては、例えば水中ビークルが用いられる。移動装置４０は、例えば本体部４１と、推進力発生部４２と、アーム４３と、撮影装置４４とを備えている。移動装置４０は、配線４５によって台船６０の操作装置４６に接続されている。台船６０は、例えばダム湖３０の水面に浮かべて用いられる。台船６０には、操作装置４６を操作する作業者が乗り込んでもよい。
【００３５】
推進力発生部４２は、例えばプロペラ等が設けられる。プロペラを駆動する駆動装置は、本体部４１に設けられる。アーム４３は、止水蓋５０を着脱可能である。撮影装置４４で撮影された画像は、配線４５を介して又は無線通信により操作装置４６に送信される。操作装置４６には、撮影装置４４で撮影された画像を表示する不図示の表示部が設けられる。作業者は、表示部を確認しつつ、移動装置４０の進行方向を調整可能である。なお、移動装置４０は、音波やＧＰＳによって位置を検出可能に設けられてもよい。また、撮影装置４４の撮影対象領域に光を照射する照明装置が設けられてもよい。なお、止水蓋５０は、不図示のフロートが形成され、水中での重量が浮力によって相殺される構成であってもよい。
【００３６】
移動装置４０をダム湖３０に投入した後、作業者は、表示部を確認しながら操作装置４６を操作し、図２に示すように、移動装置４０を上流側開口部２１ａの手前まで移動させる。作業者は、止水蓋５０を上流側開口部２１ａに向けた状態とし、移動装置４０を堤体１０側に近づける。そして、作業者は、撮影装置４４で撮影された画像を確認しながら移動装置４０の位置を調整し、図３に示すように、上流側開口部２１ａを覆う位置に止水蓋５０を配置する（配置工程）。このとき、止水蓋５０は、堤体１０又は放流管２１の外周部に当接された状態とする。
【００３７】
この状態で、作業者は、図４に示すように、ゲート２３を開く。なお、ゲート２３を開く作業者は、移動装置４０を操作する作業者と異なってもよい。ゲート２３を開くことにより、放流管２１内の水が下流側開口部２１ｂから下流側に排出される。放流管２１内の水が排出されることにより、ダム湖３０の水中と放流管２１内と間に圧力差が生じる。この圧力差により、止水蓋５０が放流管２１側に押圧される。これにより、止水蓋５０によって上流側開口部２１ａが閉塞される（閉塞工程）。
【００３８】
放流管２１内の水が排出され、上流側開口部２１ａを閉塞されることにより、放流管２１内がドライな環境となる。したがって、作業者は、ゲート２３や放流管２１内のメンテナンスを適宜行うことができる。なお、閉塞工程の後、放流管２１内を長時間ドライな環境に保持する場合には、例えば図５に示すように、上流側開口部２１ａを閉塞した状態の止水蓋５０から移動装置４０を離脱させてもよい（離脱工程）。この場合、離脱させた移動装置４０は、例えば一旦回収してメンテナンス等を行ったり、他の用途に用いたりすることができる。
【００３９】
メンテナンスを行った後、作業者は、図６に示すように、ゲート２３を閉じた後、主バルブ２４を開く。これにより、ダム湖３０の水が充水管２２を介して放流管２１に供給される。放流管２１は、上流側開口部２１ａが止水蓋５０によって閉塞され、下流側開口部２１ｂがゲート２３によって閉塞されている。したがって、充水管２２から供給された水は放流管２１に溜まっていく。これにより、ダム湖３０の水中と放流管２１内との間の圧力差が低減する（充水工程）。
【００４０】
その後、作業者は、上記圧力差が低減された状態で、移動装置４０を堤体１０から離れるように移動させる。図７に示すように、移動装置４０及び止水蓋５０が一体で堤体１０から離れ、止水蓋５０が上流側開口部２１ａから取り外される。これにより、上流側開口部２１ａが開放される（開放工程）。止水蓋５０を取り外した後、作業者は、移動装置４０を引き上げて止水蓋５０を回収する。
【００４１】
一方、充水管２２の主バルブ２４に対してメンテナンスを行う場合、例えば図４に示す状態から副バルブ２５を閉塞させることで、主バルブ２４の上流側を閉塞する。そして、主バルブ２４を開くことにより、図８に示すように、主バルブ２４と副バルブ２５との間の水を放出することができる。これにより、主バルブ２４がドライな環境になる。作業者は、この状態で主バルブ２４に対してメンテナンスを行うことができる。
【００４２】
一方、充水管２２の副バルブ２５に対してメンテナンスを行う場合には、上流側開口部２２ａを閉塞させ、副バルブ２５の上流側の水を抜く必要がある。本実施形態のダム１００では、充水管２２の上流側開口部２２ａに予備ゲート等の閉塞手段が設けられない。そこで、副バルブ２５の上流側の水を抜く場合、上流側開口部２２ａに止水蓋を取り付けて閉塞する。以下の図９から図１１は、本実施形態に係る止水蓋５１の施工方法の一例を示す工程図である。
【００４３】
この場合、作業者は、図９に示すように、充水管２２の上流側開口部２２ａを覆うように、移動装置４０を用いて止水蓋５１を配置させる（配置工程）。止水蓋５１は、充水管２２の上流側開口部２２ａを閉塞可能な寸法に形成される。止水蓋５１には、表裏を貫通する開口が形成されており、当該開口に開閉部５１ａが設けられている。開閉部５１ａを開くことにより、開口を介して止水蓋５１の表裏が連通される。また、開閉部５１ａを閉じることにより、止水蓋５１の表裏が閉塞される。開閉部５１ａは、移動装置４０に設けられた不図示の開閉機構等によって開閉される。図９に示すように止水蓋５１を配置させる場合、開閉部５１ａを閉じた状態としておく。
【００４４】
次に、作業者は、図１０に示すように、副バルブ２５を開く。副バルブ２５の上流側に溜まっていた水は、充水管２２から放流管２１を介して下流側に排出される。充水管２２内の水が排出されることにより、ダム湖３０の水中と充水管２２内と間に圧力差が生じる。この圧力差により、止水蓋５１が充水管２２側に押圧される。これにより、止水蓋５１によって上流側開口部２２ａが閉塞される（閉塞工程）。充水管２２内の水が排出され、上流側開口部２１ａを閉塞されることにより、放流管２１内がドライな環境となる。したがって、作業者は、ゲート２３や放流管２１内のメンテナンスを適宜行うことができる。
【００４５】
メンテナンスを行った後、作業者は、図１１に示すように、主バルブ２４を閉じた後、止水蓋５１の開閉部５１ａを開く。これにより、ダム湖３０の水が開閉部５１ａを介して充水管２２に供給されて溜まっていく。これにより、ダム湖３０の水中と充水管２２内との間の圧力差が低減する（充水工程）。
【００４６】
その後、作業者は、上記圧力差が低減された状態で、移動装置４０を堤体１０から離れるように移動させる。この移動により、移動装置４０及び止水蓋５１が一体で堤体１０から離れ、止水蓋５１が上流側開口部２２ａから取り外される。これにより、上流側開口部２２ａが開放される（開放工程）。止水蓋５１を取り外した後、作業者は、移動装置４０を引き上げて止水蓋５１を回収する。
【００４７】
従来、予備ゲートが設けられないダム１００における放流管２１内の水を抜く場合、潜水士が止水蓋５０を持ってダム１００の水中に潜り、上流側開口部２１ａに止水蓋５０を取り付けて閉塞することが行われていた。同様に、充水管２２内の水を抜く場合、潜水士が止水蓋５１を持ってダム１００の水中に潜り、上流側開口部２２ａに止水蓋５１を取り付けて閉塞することが行われていた。潜水士による水中施工法では、潜水士が深く潜るほど、水中での作業可能な時間が短くなる。このため、潜水士が潜る深さを浅くするためにゲート２３を開放してダム湖３０の水の放流を行ったり、複数の潜水士が交代で潜って作業を行ったりしていた。
【００４８】
しかしながら、水深を低下させるための放流を行う場合には、放流作業に長時間を要してしまう。また、潜水士が深く潜る場合、作業後に潜水士が浮上するために要する時間が長くなる。このように、潜水士による水中施工法では、作業に要する時間が長くなってしまう。また、潜水士が浮上時に用いる再圧チャンバーなどの設備が必要になるため、大掛かりな作業となってしまう。
【００４９】
これに対して、本実施形態によれば、放流管２１の上流側開口部２１ａに止水蓋５０を配置する際及び取り外す際に、移動装置４０を用いることとしたため、例えばダム湖３０の水位を下げる等、潜水士に合った作業環境に調整する必要がない。また、潜水士が浮上するための時間を考慮する必要がなく、再圧チャンバーなどの設備も不要となる。これにより、作業時間を短縮することができ、大掛かりな設備を要することなく止水蓋５０を配置することが可能となる。
【００５０】
また、本実施形態によれば、充水管２２の上流側開口部２２ａに止水蓋５１を配置する際及び取り外す際に、移動装置４０を用いることとしたため、放流管２１の閉塞と同様、潜水士に合った作業環境に調整する必要がなく、再圧チャンバーなどの設備も不要となる。これにより、作業時間を短縮することができ、大掛かりな設備を要することなく止水蓋５１を配置することが可能となる。また、止水蓋５１に開閉部５１ａを設けておき、止水蓋５１による閉塞状態を開放する場合に開閉部５１ａを開くことで充水管２２に水を効率的に供給することができる。
【００５１】
なお、本実施形態に係る止水蓋施工方法は、例えば潜水士が潜る必要のある深さ、つまり、ダム湖３０の水面から上流側開口部２１ａまでの深さが５０ｍ〜１００ｍ程度となるような水位以上で行うことが好ましい。これにより、移動装置４０を用いた場合の効果が一層大きくなる。また、潜水士が潜水困難な深さであっても、移動装置４０を配置して止水蓋５０を配置することが可能となる。
【００５２】
本発明の技術範囲は上記実施形態に限定されるものではなく、本発明の趣旨を逸脱しない範囲で適宜変更を加えることができる。例えば、図１２に示すように、放流管２１の上流側に予備ゲート２６が設けられる場合がある。予備ゲート２６は、放流管２１の上流側開口部２１ａを開閉可能である。ゲート２３のメンテナンスを行う際に、予備ゲート２６により上流側開口部２１ａを閉じた状態にすることで、放流管２１をドライな環境にすることができる。なお、充水管２２の上流側には、予備ゲートは設けられない。このような場合、予備ゲート２６により放流管２１の上流側開口部２１ａを閉塞した状態で、止水蓋５１による充水管２２の閉塞を行うようにする。これにより、ダム湖３０の水が放流管２１に流れ込むことを確実に防ぐことができ、充水管２２の内部を確実にドライな環境にすることができる。
【００５３】
また、上記実施形態では、移動装置４０として、水中ビークルを例に挙げて説明したが、これに限定するものではない。図１３は、変形例に係る移動装置７０の一例を示す図である。図１３に示すように、移動装置７０として、例えば水中クローラが用いられてもよい。移動装置７０は、本体部７１と、無限軌道帯７２と、アーム７３とを備えている。移動装置７０は、配線７５によって台船６０の操作装置７６に接続されている。移動装置７０は、無限軌道帯７２により、堤体１０の壁面１２上を昇降可能である。アーム７３は、止水蓋５０を保持する。アーム７３は、止水蓋５０の保持位置を調整可能である。図１３では、上流側開口部２１ａに覆うように止水蓋５０を配置させる場合の保持位置に調整されている。止水蓋５０を保持して移動する際には、例えば図１３の白抜矢印で示す方向にアーム７３を折り曲げることにより、止水蓋５０を壁面１２から離した状態で保持可能である。移動装置７０は、無限軌道帯７２によって壁面１２に沿って移動可能であるため、移動装置４０に比べて安定して移動することができる。
【００５４】
図１４は、変形例に係るダム２００の一例を示す図である。移動装置７０は、図１４に示すようなトンネル型のダム２００に対しても適用できる。トンネル型のダム２００には、横穴２０１が形成されている。横穴２０１の下流側には、ダム湖３０の水を放流するための放流管２０２が形成されている。ダム２００では、横穴２０１及び放流管２０２が、放流時の配管として用いられている。放流管２０２の下流側開口部２０２ｂには、ゲート１２３が設けられている。
【００５５】
ゲート１２３のメンテナンスを行う際、放流管２０２内をドライな環境にする必要がある。この場合、作業者は、止水蓋５０によって放流管２０２の下流側開口部２０２ｂを閉塞させた後にゲート１２３を開き、放流管２０２内の水を排出する。ここで、止水蓋５０によって上流側開口部２０２ｂを閉塞させる際、作業者は、まず不図示のランチャー等を用いて、台船６０から横穴２０１まで、移動装置７０を降下させる。このとき、例えば横穴２０１に接続された縦穴２０３を経由させてもよい。
【００５６】
移動装置７０が横穴２０１の底部に到達した後、作業者は、無限軌道帯７２によって移動装置７０を横穴２０１の奥側に移動させる。移動装置７０が放流管２０２に到達した後、アーム７３を伸ばし、放流管２０２の上流側開口部２０２ａを覆うように止水蓋５０を配置する。その後、ゲート１２３を開くことにより、横穴２０１内と放流管２０２内との間に圧力差が生じ、止水蓋５０が放流管２０２側に押圧される。これにより、放流管２０２の上流側開口部２０２ａを閉塞させることができる。また、止水蓋５０を取り外す際には、不図示の充水機構により放流管２０２に水を供給し、横穴２０１内と放流管２０２内との間の圧力差を減少させればよい。また、上記第２実施形態に記載の、開閉部５１ａが設けられた止水蓋５１が用いられてもよい。
【００５７】
潜水士による水中施工法では、横穴２０１の長さが長くなるほど作業の困難性が増大する。これに対して、図１４に示す例では、移動装置７０によって作業を行うため、潜水士による作業に比べて、横穴２０１の長さが長くなっても作業の困難性が増大しにくい。なお、移動装置７０に代えて、上記実施形態に記載の移動装置４０が用いられてもよい。
【符号の説明】
【００５８】
１０  堤体
１１  操作室
１２  壁面
２０  放流設備
２１，２０２  放流管
２１ａ，２２ａ，２０２ａ，２０２ｂ  上流側開口部
２１ｂ，２０２ｂ  下流側開口部
２２  充水管
２２ｂ  接続開口部
２３，１２３  ゲート
２４  主バルブ
２５  副バルブ
２６  予備ゲート
３０  ダム湖
４０，７０  移動装置
４１，７１  本体部
４２  推進力発生部
４３，７３  アーム
４４  撮影装置
４５，７５  配線
４６，７６  操作装置
５０，５１  止水蓋
５１ａ  開閉部
６０  台船
７２  無限軌道帯
１００，２００  ダム
２０１  横穴
２０３  縦穴
【要約】
【課題】作業時間を短縮することができ、大掛かりな設備を要することなく止水蓋を配置することが可能な止水蓋施工方法を提供する。
【解決手段】ダム１００に貯められた水の放流設備２０に設けられる配管（放流管２１、充水管２２）のうちダム１００の水側に開口された上流側開口部（２１ａ、２２ａ）を止水蓋（５０、５１）で閉塞する止水蓋施工方法であって、移動装置４０を用いて、水が満たされた配管の上流側開口部を覆う位置に止水蓋を配置する配置工程と、上流側開口部を覆う位置に止水蓋を配置した状態で配管内の水を下流側から抜き、ダム湖３０内と配管内との間に生じる圧力差によって止水蓋を配管側に押圧させることで上流側開口部を閉塞する閉塞工程とを含む。
【選択図】図１０【図１】
0005980379.tif 000002
【図２】
0005980379.tif 000003
【図３】
0005980379.tif 000004
【図４】
0005980379.tif 000005
【図５】
0005980379.tif 000006
【図６】
0005980379.tif 000007
【図７】
0005980379.tif 000008
【図８】
0005980379.tif 000009
【図９】
0005980379.tif 000010
【図１０】
0005980379.tif 000011
【図１１】
0005980379.tif 000012
【図１２】
0005980379.tif 000013
【図１３】
0005980379.tif 000014
【図１４】
0005980379.tif 000015